(57)【要約】      （修正有）【課題】湯たんぽを使用して、寝具に平置きの一般方法よりも一層の温暖効果が得られる足暖房フレームを提供する。【解決手段】台形の脚状に傾斜する１対の支柱３を２組用意してなる４本の支柱と、４本の支柱の上端部に固定され、アーチ形状を有する上面ネット１０と、同方向に傾斜する２本の支柱を１組として、各組ごとに２本の支柱の下端部に両端が固定される２つの側面板４と、下端が止め具で２つの側面板にそれぞれ固定され、上端が鉛直方向に対し傾斜して上面ネットまで延びる仕切りネットと、下端がストレート掛金８で台形の脚状に傾斜する１対の支柱にそれぞれ固定され、上端が鉛直方向に対し２０°傾斜して延びる後面板５ａと、を備え、仕切りネットと後面板で囲まれる空間に湯たんぽを横置きにして挿入する。【選択図】図１
0003199559.tif 000002
【実用新案登録請求の範囲】
【請求項１】
足暖房カバーの上部ネットはアーチ形状、取付取外しは止ピン仕様、支柱４本は高低２段階仕様、左右側面版にて支柱強化、湯たんぽの仕様では、仕切りネット約１０°度傾斜の足下適応角度、又低温火傷安全対策に足下と湯たんぽの間隔は１０ミリに設定、湯たんぽ支える後面版は約２０°度傾斜で、各種湯たんぽ収納可能、仕切りネット取外して各種電気暖房器、ジェル暖房器製品仕様可能、組立収納は、ストレート掛金、あおりどめ仕様で簡単にできる。
【請求項２】
前記の使用で足の冷え症トラブル予防、介護、病院、療養等、使用に安全便利、暖房以外では寝具の足下圧迫取り除き安息に寄与する。
【考案の詳細な説明】
【技術分野】
【０００１】  本考案は寝具の足下に設置する湯たんぽの保温機能高めるフレーム
【背景技術】
【０００２】  従来湯たんぽの使用法は寝具の足下に平置き使用が一般的である。
【考案が解決しようとする課題】
【０００３】  就寝時湯たんぽの通常使用は足下にかかる寝具の圧迫を取り除き、足を自由安楽に又は不適当な取扱いで低温火傷の防止に、仕切りネットを設置した。
【問題を解決するための手段】
【０００４】  本考案は湯たんぽの安全使用また温暖効果をよりよく改めさらに就寝時に血流を促し足の疲れを癒し、身体の循環機能向上をめざした足暖房フレーム。
【考案効果】
【０００５】  上記の様に本考案の足暖房フレームの使用に依り足冷えトラブルをケアすると共に、安眠、安楽、安息で日常生活の健康増進保護に役立てる。
【図面の簡単な説明】
【０００６】
【図１】全体図
【図２】側面図湯たんぽ収納位置鎖線
【図３】仕切りネット  ２ａ、２ｂ部分断面図
【本考案を実施するための形態】
【０００７】  本体の正面は安定した台型、左右底面板前後に支柱４本設定、左右支柱強化の側面版２枚設置、上面カバーネットは足先が自由に動くよう、ゆるやかアーチ形状、後面版は湯たんぽ使用に際し横置き立て架け約２０°度傾斜で湯たんぽ出し入れ簡単。足下と湯たんぽの仕切ネットは約１０°度傾斜、且つ安全使用に低温火傷対応に足下に対し１０ミリ間隔設定。使用収納は蝶番、ストレート掛金設定の組立式、上面ネット、仕切りネットは止具で簡単に取り扱い仕様出来る。
【実施例】
【０００８】  水１リットル沸騰３円〜４円都市ガス
Ｙ社製平型電気あんか電気代１時間あたり表面温度約６０℃約０．１２円
〃                約４５℃約０．０７円
〃                約３０℃約０．０１円【０００９】  寒期４ヶ月使用で足下が自由に動き、温暖安眠に役立つ。
【符号の説明】
【００１０】１ａ    上面ネット
１ｂ    上面ネット止ピン
２ａ    仕切ネットフレーム
２ｂ    仕切ネット低温火傷対策４ミリ網線（図３）断面図
３      支柱
４      側面版
５ａ    後面版
５ｂ    後面版
６      底面版
７      あおりどめ
８      ストレート掛金
９      蝶番
１０    仕切ネット止め具
１１    湯たんぽ収納鎖線
【図１】
0003199559.tif 000003
【図２】
0003199559.tif 000004
【図３】
0003199559.tif 000005
【手続補正書】
【提出日】平成26年12月26日(2014.12.26)
【手続補正１】
【補正対象書類名】実用新案登録請求の範囲
【補正対象項目名】全文
【補正方法】変更
【補正の内容】
【実用新案登録請求の範囲】
【請求項１】
足暖房カバーは台形で就寝時に足を自由に熱効率有効利用に湯たんぽ、電気あんかの設置を横置き立て掛け使用で後面板と支切ネツト間に固定、上面アーチネツト外枠は４ＭＭ鋼線、アーチ面は２ＭＭ鋼線仕様、４本支柱上端ホールにアーチピン止で固定、４本支柱は底面板に蝶番取付け、支柱は足下の寸法に合わせ高低２段階の蝶番仕様、左右側面板は底面板に蝶番取付け支柱凹部に嵌め込み支柱強化、支柱下部に固定する後面板はストレート掛金、あおり止で固定仕様、組立、収納は折りたたみ式
【請求項２】
仕切ネツト外枠は４ＭＭ鋼線、ネツト面は２ＭＭ鋼線使用で横３０ＭＭ間隔從１５ＭＭ間隔の格子型、支切ネツト中央の横鋼線４ＭＭは取り付、取り外し可能使用で、湯たんぽ使用時は中央横鋼線使用で足下と１０ＭＭ間隔保持各種電気あんか使用時は横中央鋼線外して足下と６ＭＭ間隔保持の低温火傷対策とする、仕切ネツト外して年間使用可能、支切ネツトの固定は上面ネツト外枠、側面板に仕切ネツト止め具仕様
【手続補正２】
【補正対象書類名】明細書
【補正対象項目名】全文
【補正方法】変更
【補正の内容】
【考案の詳細な説明】
【技術分野】
【０００１】  本考案は寝具の足下に設置する湯たんぽの保温機能高めるフレーム
【背景技術】
【０００２】  従来湯たんぽの使用法は寝具の足下に平置き使用が一般的である。
【考案が解決しようとする課題】
【０００３】  就寝時湯たんぽの通常使用は足下にかかる寝具の圧迫を取り除き、足を自由安楽に又は不適当な取扱いで低温火傷の防止に、仕切りネットを設置した。
【問題を解決するための手段】
【０００４】  本考案は湯たんぽの安全使用また温暖効果をよりよく改めさらに就寝時に血流を促し足の疲れを癒し、身体の循環機能向上をめざした足暖房フレーム。
【考案効果】
【０００５】  上記の様に本考案の足暖房フレームの使用に依り足冷えトラブルをケアすると共に、安眠、安楽、安息で日常生活の健康増進保護に役立てる。
【図面の簡単な説明】
【０００６】
【図１】全体図
【図２】側面図湯たんぽ電気あんか収納位置鎖線
【図３】分解図
【本考案を実施するための形態】
【０００７】全体図の形態は安定した台形、６の底面板左右２枚は３の支柱前後左右４本に蝶番取付仕様、内側に傾斜７°、３の支柱４本強化に４の左右側面板２枚は底面板に蝶番取付仕様傾斜１４°、１ａ上面カバーネツトは１ｂのネツト止めピンで支柱上部ホールに固定、５ａ５ｂの後面板は７のあおり止で固定、５ｂの後面板下部分は８のストレート掛金で支柱に固定、１１ａ１１ｂ湯たんぽ電気あんか収納鎖線は横置き立てかけ設置で出し入れ、２ａ、２ｂ仕切りネツトは低温火傷対応１０ｍｍと６ｍｍ間隔で傾斜約１０°、組立、収納は蝶番、ストレート掛金、あおり止で仕様説定。
【実施例】
【０００８】          水１リットル沸騰３円〜４円都市ガス
Ｙ社製平型電気あんか電気代１時間あたり表面温度約６０℃約０．１２円
〃                約４５℃約０．０７円
〃                約３０℃約０．０１円
Ｙ社製電気敷き毛布電気代１時間あたり０、８円  ５５ワツト
ジェイエスビー蓄熱あんか消費電力９５ワツト充電時間１，５〜２時間
電気代約３・９円  布団の中に入れて測定室温１５℃【０００９】電気しき毛布使用の際は仕切りネツトを取外し使用すれば足下自由、また湯たんぽを日々沸かすのが負担になっている方の電気あんかは使用に便利。
【符号の説明】
【００１０】        １ａ    上面ネット
１ｂ    上面ネット止ピン
２ａ    仕切ネットフレーム
２ｂ    仕切ネット低温火傷対策４ミリ鋼線
３      支柱
４      側面板
５ａ    後面板
５ｂ    後面板
６      底面板
７      あおり止
８      ストレート掛金
９      蝶番
１０    仕切ネット止め具
１１ａ  湯たんぽ収納鎖線
１１ｂ  電気あんか収納鎖線
１２    電気あんか定着パツト鎖線
【手続補正３】
【補正対象書類名】図面
【補正対象項目名】全図
【補正方法】変更
【補正の内容】
【図１】
0003199559.tif 000006
【図２】
0003199559.tif 000007
【図３】
0003199559.tif 000008
【手続補正書】
【提出日】平成27年4月9日(2015.4.9)
【手続補正１】
【補正対象書類名】実用新案登録請求の範囲
【補正対象項目名】全文
【補正方法】変更
【補正の内容】
【実用新案登録請求の範囲】
【請求項１】
台形状の足暖房フレーム［図１］１ａの上面ネツトは寝具による足下圧迫解消にアーチの型状で足下を自由に動かせるネツトフレームの固定は［図１］１ｂのネツトピンを［図１］３の４本支柱上部ホールに挿入固定［図１］３の４本支柱は足下寸法に合わせ１５０ＭＭと１８０ＭＭの２段階の調節を蝶番仕様で調整する支柱の固定は［図１］６の左右底面板に従内側７°傾斜で蝶番取付して［図１］４の側面板は［図１］６の底面板に蝶番取付して支柱側に傾斜１４°で支柱凹部に嵌め込み支柱の強化［図１］５ａ後面板は［図１］５ｂ後面板と蝶番接続して［図２］８のストレート掛金で［図１］３の左右後側支柱下部に固定仕様［図２］７のあおり止は［図１］３左右後側支柱と［図１］５ａ後面板を２０°傾斜固定して各種足温器の安定設置と［図２］２ａ仕切ネツトは２ＭＭ鋼線でネツト枠は４ＭＭ鋼線で計６ＭＭ厚幅ネツトに［図２］２ｂは枠中央に設定した内径４ＭＭ長さ１０ＭＭ鋼管に差し込みネツト厚幅１０ＭＭ仕様可変で各足温器の温度変化対応に調整［図２］２ａの仕切ネツトの固定は［図２］１０の仕切ネツト止具で［図２］４の側面板に固定することの組合わせ構成で寝具の足下圧迫を解消すると共に各種湯たんぽ各種電気足温器による低温火傷予防することを特徴とする足暖房フレーム。
【手続補正２】
【補正対象書類名】明細書
【補正対象項目名】全文
【補正方法】変更
【補正の内容】
【考案の詳細な説明】
【技術分野】
【０００１】  本考案は寝具の足下に設置する湯たんぼの保温機能高めるフレーム
【背景技術】
【０００２】  従来湯たんぽの使用法は寝具の足下に平置き使用が一般的である。
【考案が解決しようとする課題】
【０００３】  就寝時湯たんぽの通常使用は足下にかかる寝具の圧迫を取り除き、足を自由安楽に又は不適当な取扱いで低温火傷の防止に、仕切りネットを設置した。
【問題を解決するための手段】
【０００４】  本考案は湯たんぽの安全使用また温暖効果をよりよく改めさらに就寝時に血流を促し足の疲れを癒し、身体の循環機能向上をめざした足暖房フレーム。
【考案効果】
【０００５】  上記の様に本考案の足暖房フレームの使用に依り足冷えトラブルをケアすると共に、日常生活の健康増進保護に役立てる。
【図面の簡単な説明】
【０００６】
【図１】全体図
【図２】側面図湯たんぽ電気あんか収納位置鎖線
【図３】後面組合わせ図
【図４】分解図
【本考案を実施するための形態】
【０００７】全体図の形態は安定した台形、６の底面板左右２枚は３の支柱前後左右４本に蝶番取付仕様、内側に傾斜７°、３の支柱４本強化に４の左右側面板２枚は底面板に蝶番取付仕様傾斜１４°、１ａ上面カバーネツトは１ｂのネツト止めピンで支柱上部ホールに固定、５ａ  ５ｂの後面板は７のあおり止で固定、５ｂの後面板下部分は８のストレート掛金で支柱に固定、１１ａ  １１ｂ湯たんぽ電気あんか収納鎖線は横置き立てかけ設置で出し入れ、２ａ、２ｂ仕切りネツトは低温火傷対応１０ｍｍと６ｍｍ幅厚傾斜約１０°で足下に順応角度、５ａ後面板２０°傾斜は各種湯たんぽの安定収納角度。
【実施例】
【０００８】水１リットル沸騰３円〜４円都市ガス
Ｙ社製平型電気あんか電気代１時間あたり表面温度約６０℃約０．１２円
〃              約４５℃約０．０７円
〃              約３０℃約０．０１円
Ｙ社製電気敷き毛布電気代１時間あたり０、８円  ５５ワツト
ジェイエスビー蓄熱あんか消費電力９５ワツト充電時間１，５〜２時間
電気代約３・９円  布団の中に入れて測定室温１５℃【０００９】電気しき毛布使用の際は仕切りネツトを取外し使用すれば足下自由、また湯たんぽを日々沸かすのが負担になつている方の電気あんかは使用に便利。
【符号の説明】
【００１０】１ａ    上面ネット
１ｂ    上面ネット止ピン
２ａ    仕切ネットフレーム
２ｂ    仕切ネット低温火傷対策４ミリ鋼線
３      支柱
４      側面板
５ａ    後面板
５ｂ    後面板
６      底面板
７      あおり止
８      ストレート掛金
９      蝶番
１０    仕切ネット止め具
１１ａ  湯たんぽ収納鎖線
１１ｂ  電気あんか収納鎖線
１２    電気あんか定着パツト鎖線
【手続補正３】
【補正対象書類名】図面
【補正対象項目名】全図
【補正方法】変更
【補正の内容】
【図１】
0003199559.tif 000009
【図２】
0003199559.tif 000010
【図３】
0003199559.tif 000011
【図４】
0003199559.tif 000012
【手続補正書】
【提出日】平成27年6月8日(2015.6.8)
【手続補正１】
【補正対象書類名】実用新案登録請求の範囲
【補正対象項目名】全文
【補正方法】変更
【補正の内容】
【実用新案登録請求の範囲】
【請求項１】
台形の脚状に傾斜する１対の支柱を２組用意してなる４本の支柱と、
４本の支柱の上端部に固定され、アーチ形状を有する上面ネットと、
４本の支柱のうち同方向に傾斜する２本の支柱を１組として、各組ごとに２本の支柱の下端部に両端が固定される２つの側面板と、
下端が止め具で２つの側面板にそれぞれ固定され、上端が鉛直方向に対し傾斜して上面ネットまで延びる仕切りネットと、
下端がストレート掛金で台形の脚状に傾斜する１対の支柱にそれぞれ固定され、上端が鉛直方向に対し傾斜して延びる後面板と、を備え、
仕切りネットと後面板で囲まれる空間に湯たんぼを挿入することを特徴とする足暖房フレーム。